(57)【特許請求の範囲】
【請求項１】
機裏側に装備された機構セット盤(C)における球貯留排出経路部(4)内の貯留球を、遊技盤内でのパチンコゲームの入賞成立に対する賞球として払出して賞球経路(5,7)から球皿側へ給出する一方、球抜き操作により戻し球として抜出して球抜き路(9)から機外へ排出するパチンコ遊技機にあって、
前記機構セット盤(C)に形成された凹室部(25)に着脱可能に組付けセットされて内部に球通路を形成した縦長方形箱状のケース体(26)に、前記貯留球を１個ずつ払出し得る電動式の球払出し部(35)と、この球払出し部(35)から払出された球を前記賞球経路(5,7)側と球抜き路(9)側に通出切換えし得る電動式の切換え排出部(47)とを組込んでケース体単位で構成し、
前記ケース体(26)では、前記球貯留排出経路部(4)の下流に連通する球入路(28)の下部に、前記賞球経路(5,7)に連通する払出し路(30)および前記球抜き路(9)に連通する戻し路(31)を形成し、前記球払出し部(35)では、球入路(28)に臨む位置に支持された回転式の球送り体(37)を、適宜電子制御装置(22)の制御により駆動される電動具(39)により回転停止制御して１球ずつ払出すように構成され、前記切換え排出部(47)では、払出し路(30)と戻し路(31)の分岐連絡部位に支持された切換え弁(52)を、適宜電子制御装置(22)の制御により駆動される電動具(48)により払出し位置と戻し位置とに切換え保持し得るように構成すると共に、前記球抜き操作にあたり保全スイッチ(65)が戻し位置の切換え弁(52)を検出(ON)している条件で、前記球払出し部(35)を払出し解放作動可能とし、同保全スイッチ(65)が払出し位置側に変位した切換え弁(52)を非検出(OFF)した条件で、球払出し部(35)を払出し解放作動不能として、貯留球の払出し路(30)側への抜出しを阻止するように設定した
ことを特徴とするパチンコ遊技機における賞球排出装置。
【請求項２】
前記切換え排出部(47)では、前記ケース体(26)内に着脱可能に取着される１枚の仕切り板(34)に、前記電動具(48)および切換え弁(52)を組付けて双方互いに連繋手段(54)で連繋すると共に、切換え弁(52)を検出(ON)および非検出(OFF)する前記保全スイッチ(65)を設けて、全体が仕切り板単位で構成され、電動具(48)の作動前休止時には切換え弁(52)を払出し位置に保持し、電動具(48)の作動時には切換え弁(52)を戻し位置に保持して保全スイッチ(65)で検出するように設定した請求項１記載のパチンコ遊技機における賞球排出装置。
【発明の詳細な説明】
【０００１】
【発明の属する技術分野】
この発明は、パチンコ遊技機における賞球排出装置に係り、更に詳しくは、遊技盤内でパチンコゲームを展開できる遊技機において、機裏側に貯留したパチンコ球を、パチンコゲームの入賞成立に対する賞球として球皿側へ払出し得る一方、球抜き操作により戻し球(返し球)として機外へ抜出し得ると共に、戻し球として抜出された貯留球の不正な球抜きを防止するようにした賞球排出装置に関するものである。
【０００２】
【従来の技術】
パチンコ機やアレンジボール機に代表されるこの種の遊技機では、遊技操作に基づいて開始される１球毎の球送り発射制御作動により、球皿から発射位置に送込まれた遊技球を遊技盤内に打出して所要のパチンコゲームを行ない得る。そして、このゲーム中の入賞条件(セーフ球の発生や入球による図柄組合わせの得点成立等)に対して、機裏側の球貯留排出経路部内に貯留された球が、賞球払出装置の払出し作動毎に所定数の賞球として払出されて、所定の賞球経路から上球皿および下球皿へ給出される。一方、遊技機の取扱いにより球貯留排出経路部内の相当量の貯留球を抜取る必要がある場合には、一般に前枠の正面側部に形成された操作孔から操作杆を挿入して機裏側の球抜き装置を作動させることにより、賞球経路と球抜き路との分岐連絡部に設けられた切換え弁を球抜き状態(球戻し位置)に保持したもとで、貯留球を球抜き路から機外の裏側へ放出し得るようになっている。なお操作杆は、針金状材に摘み部を付けた程度のものでホール管理者側で管理されるが、入手容易な直線材でも十分代用できる。
【０００３】
このようなパチンコ遊技機にあって、賞球の払出しとは別に、球抜き操作によりすべての貯留球を払出し可能にする形態として、一般に前記賞球払出装置では、入賞条件毎に対する電動具(ソレノイドやモータ)の駆動制御により、球経路に臨む球送り体を回転制御させながら賞球を払出してカウント検出する電動タイプが使用され、また前記球抜き装置では、前述の操作杆で作動されるスイッチの検出入力に基づく電磁ソレノイドの駆動制御により、前記切換え弁を球抜き(戻し)位置に切換え保持して抜出す電気タイプが使用されている。そして双方の装置の実施形態として、遊技盤点検用の窓口を設けた裏側の機構セット盤の側縁部において、賞球払出装置が球貯留排出経路部の下流部に合わせて設置され、また球抜き装置が賞球払出装置の下流に連通する賞球経路と球抜き路との分岐連絡部に設置されて、球抜き操作におけるスイッチの検出入力に基づいて、切換え弁の切換え保持および賞球払出装置の解放条件のもとで、抜出された全ての貯留球を放出し得るようになっている。
【０００４】
なお前記球抜き装置については、操作杆の他に、外枠から開放された前枠の裏側において、指先操作によりスイッチを操作検出できるようになっている。また双方の装置では、電子制御装置での球抜き制御処理として、前記スイッチの検出入力を１回だけ有効化し、球抜き作動後には正常な復旧処理として電源再投入または電子制御装置に係るリセット入力操作を行なう。そしてこの処理を行なわない限り、同スイッチの以後の検出入力を無効として球抜き不能に設定されている。このもとで、前記電動具および電磁ソレノイドが、球抜き用のスイッチの検出入力に対する電子制御装置でのタイマー設定条件に基づいて、所定時間経過後に自動復帰するように設定されている。
【０００５】
【発明が解決しようとする課題】
ところで前記賞球払出装置は、球貯留排出経路部の下流部における所要部位に設置され、また球抜き装置は該賞球払出装置の直ぐ下流部に隣接して設置されるものであり、夫々の装置が密接な関係をもって連動することにより、貯留球を賞球として上球皿または下球皿側へ払出したり、機外へ抜取り得るようになっている。しかるに、これら賞球払出装置と球抜き装置とが、上下に隣接して設置されると共に連動して制御されるものであるにも拘らず、別の装置として個別に設計および製作されており、製作コストが嵩んでしまう欠点を内在していた。また、賞球払出装置と球抜き装置とを上下に連設した際にはかなり大型となるから、機構セット盤においては、両装置の外形サイズを前提とした大きな設置部位を確保しなければならず、賞球排出経路全体等の設計には少なからず制約を受けることとなっていた。更に、前記機構セット盤に対する組付け作業においては、賞球払出装置と球抜き装置を別々に位置決めセットして設置しなければならないから、組付けが面倒になると共に時間が掛かり、遊技機の組立てに係るコスト低減および合理化等を図るうえでの障害になっていた。
【０００６】
また近年のパチンコ遊技機では、機裏側の貯留球を賞球として払出すことの他に、遊技用の貸し球として払出し得ることが要求されていることに応えて、多くの場合前述した電動タイプの賞球払出装置が使用され、これに対応して前記球抜き装置が下部に組込まれている。このような実施形態にあっては、賞球と貸し球との区分払出しが容易に可能であり、またすべての貯留球の抜出しが可能であるとしても、貯留球の不正抜出し獲得を許してしまう大きな問題があった。すなわち現状において前記球抜き用のスイッチは、前記操作杆以外の針金状材でも簡単に操作検出されてしまい、この検出入力に基づいて双方の装置が球抜き状態と球払出し解放状態とに作動される。このため、遊技機の構成並びに両装置の形態等を熟知した不正者が、平常の遊技を装う姿勢で線状の不正物を上球皿に連絡する供給口から前記賞球経路内に侵入させて、巧みに操りながら上方部に位置する球抜き装置側へ挿入して切換え弁を払出し位置に拘束保持する。このもとで、前記スイッチを不正に検出作動させた場合には、すべての貯留球が球払出し解放状態の賞球払出装置から放出された後、前述の切換え弁により賞球経路へ排出されて上球皿または下球皿へ給出されてしまう。
【０００７】
従って、前述した電動タイプの賞球払出装置と球抜き装置とを併用形態で装備している多くのパチンコ遊技機にあっては、正常な球抜き操作により全ての貯留球を機外に抜出し得る便利な機能を有する反面、前述したような不正な球抜きによる獲得を許してしまう欠点を内在しており、これを好適に阻止できなかった。この結果、前記スイッチの１回の有効検出作動による不正抜出しだけを許すとしても、現実には数百個もの貯留球が抜出されてしまい、遊技機の台数が多くなれば到底軽視できない数量(金額分)の貯留球となって、ホール側が大きな被害を受ける問題があった。ちなみに前述した不正球抜きは、隣在の遊技者にも気付かれない程の内に巧みに行なわれしまい、ホール側ではコンピュータ管理による各台の稼働状況をチェックした後に異常を察知しているような現状にある。
【０００８】
【発明の目的】
本発明は、前述した課題を好適に解決するべく新規に提案されたもので、機裏側の機構セット盤にセットされる１つのケース体内に、球の払出し作動をなす球払出し部と、球の通出切換え作動をなす切換え排出部とを組込んで、装置全体の小型・簡素化を図ると共に機構セット盤に対する実施(組付け)の簡略化を果し得るようにし、更に前記切換え排出部を不正を目論む悪意な人為的操作では球払出し状態に保持できないようにして、機前側からの不正な球抜き行為による貯留球の抜取り獲得を防止し得るようにしたパチンコ遊技機における賞球排出装置を提供することを目的とする。
【０００９】
【課題を解決するための手段】
前記課題を解決し、所期の目的を達成するため本発明は、機裏側に装備された機構セット盤における球貯留排出経路部内の貯留球を、遊技盤内でのパチンコゲームの入賞成立に対する賞球として払出して賞球経路から球皿側へ給出する一方、球抜き操作により戻し球として抜出して球抜き路から機外へ排出するパチンコ遊技機にあって、
前記機構セット盤に形成された凹室部に着脱可能に組付けセットされて内部に球通路を形成した縦長方形箱状のケース体に、前記貯留球を１個ずつ払出し得る電動式の球払出し部と、この球払出し部から払出された球を前記賞球経路側と球抜き路側に通出切換えし得る電動式の切換え排出部とを組込んでケース体単位で構成し、
前記ケース体では、前記球貯留排出経路部の下流に連通する球入路の下部に、前記賞球経路に連通する払出し路および前記球抜き路に連通する戻し路を形成し、前記球払出し部では、球入路に臨む位置に支持された回転式の球送り体を、適宜電子制御装置の制御により駆動される電動具により回転停止制御して１球ずつ払出すように構成され、前記切換え排出部では、払出し路と戻し路の分岐連絡部位に支持された切換え弁を、適宜電子制御装置の制御により駆動される電動具により払出し位置と戻し位置とに切換え保持し得るように構成すると共に、前記球抜き操作にあたり保全スイッチが戻し位置の切換え弁を検出している条件で、前記球払出し部を払出し解放作動可能とし、同保全スイッチが払出し位置側に変位した切換え弁を非検出した条件で、球払出し部を払出し解放作動不能として、貯留球の払出し路側への抜出しを阻止するように設定したことを特徴とする。
【００１０】
【作用】
球貯留排出経路部に連通する球入路と、賞球経路に連通する払出し路と、球抜き路に連通する戻し路とを形成したケース体において、電動具により回転停止制御される回転式の球送り体を備えた球払出し部を該球入路に臨む位置に配設すると共に、別の電動具で切換え保持される切換え弁を備えた切換え排出部を該払出し部と戻し路の分岐連絡部位に配設して、賞球排出装置はこれら球払出し部と切換え排出部とをケース体に内蔵して小型化および簡素化された１つのユニット部材として取扱い得る。従って、機構セット盤に対する組付けに際しては、球貯留排出経路部の下流側における所定部位に、ケース体を位置決めセットしてビス等により固定するだけで簡単かつ容易に設置することができ、組付け作業の簡略化および合理化を図り得る。
【００１１】
そして切換え排出部において、切換え弁が戻し位置に変位した場合には保全スイッチが検出(ＯＮ)状態となり、該保全スイッチの検出条件下に球払出し部が払出し解放作動状態に制御されて、貯留球の払出しが行なわれる。従って、球払出し部から払出された貯留球は、切換え弁が戻し位置に保持されていることから、戻し路側へ案内された後に球抜き路から機外へ排出される。一方、切換え弁が払出し位置側へ変位した場合には保全スイッチが非検出(ＯＦＦ)状態となり、該保全スイッチの非検出条件下に球払出し部が払出し解放作動不能状態に制御されて、貯留球の払出しが停止される。従って、戻し位置に保持されていた切換え弁が、不正操作により戻し位置から払出し位置側に強制的に変位させられたとしても、球払出し部における貯留球の払出しそのものが停止されるから、貯留球が払出し路側へ不正に抜出されることを阻止する。
【００１２】
【発明の実施の形態】
次に、本発明に係るパチンコ遊技機における賞球排出装置について、好適な実施例を挙げて、添付図面を参照しながら、以下詳細に説明する。なお本実施例では、遊技球を１個ずつ遊技盤内に打出して遊技球の入賞ゲーム(アウト球とセーフ球との区分)を展開するタイプにあって、機裏側の貯留球を、入賞成立(セーフ球の発生)に対する賞球と、球貸しシステムを利用した遊技用の貸し球とに区分排出して球皿側へ供給し得るパチンコ機の場合を主に例示する。
【００１３】
先ず、図１に略示するパチンコ機および図２に略示する球処理部について要約説明すると、外枠Ａに組付けられた前枠Ｂの裏側に、夫々の球処理部を有する機構セット盤Ｃが着脱可能にセットされている。このセット盤Ｃでは、遊技盤点検用の窓口１の周囲において、アウト球用の排出路２とセーフ球用の処理路３が区画形成されている一方、賞球用の球貯留排出経路部４として、最上端の球タンク４ａと整列用の整流樋４ｂおよび減圧用の送出樋４ｃが順に連設されて、相当数のパチンコ球を貯留して送出し得るようになっている。また送出樋４ｃの下流端に、後述する本実施例の賞球排出装置Ｆが着脱可能にセットされており、この装置Ｆの出口下方に、上下の球皿(図示しない)側に連絡される第１,第２の賞球路(賞球経路)５,７が形成され、第１の賞球路５の上流部から分岐された球抜き路９が下部外側に形成されて、前記排出路２および処理路３に連絡されている。なお、第１の賞球路５は供給口６を介して上球皿の上流部に連絡され、また第２の賞球路７は供給口６の側方から分岐されて前枠Ｂの下部裏側に取着された容器８を介して下球皿に連絡されている(図１および図２参照)。
【００１４】
前述した機構セット盤Ｃにおけるその余の構成として、図１および図２に略示するように、前記整流樋４ｂと送出樋４ｃとの直交連絡部位に、賞球単列化用の球送り整列部１０が装備され、また整流樋４ｂの所定位置に貯留球検出用のスイッチ１１が設置され、そして第２の賞球路７の途上に賞球充満検出機構１２が組込まれている。一方、送出樋４ｃの近傍に球抜き操作手段としてのレバー１３およびスイッチ１４が組付けられており、そして前記処理路３にセーフ球検出処理装置Ｄが着脱可能にセットされている。この装置Ｄでは、セーフ球を１個ずつ停留検出して賞球払出し後に解放通出する電動形態であって、図２および図３に例示するように、処理路３と連通する通路１６を形成した本体１５に、通路１６内のセーフ球を１個ずつ通過検出し得るスイッチ１７と、このスイッチ１７の上,下方に位置するストッパー部１８ａ,１８ｂを形成して、１回毎の処理作動によりセーフ球に対する拘束と解放とによる通入出規制を行なうレバー状の規制処理部材１８と、同部材１８を各規制状態に交互に切換え操作する電磁ソレノイド１９とを組付けて、全体が本体単位で構成・取扱い得るようになっている。なお図１中、２０は電源部(ＡＣ２４Ｖ)に接続されるターミナル基板、２１はゲーム内容を制御する第１電子制御装置、２２はセーフ球検出処理並びに賞球排出(払出しと球抜き)を制御する第２電子制御装置を夫々示す。
【００１５】
このような本実施例のパチンコ機は、遊技ホール内の設置枠台(通称「島」)の各区画枠内に前記球貸しシステムと共に設置されて縦向きで遊技に供される。この状態において、図示しないが、各列毎の設置枠台の補給設備における配球ユニットから必要時に供給される相当量のパチンコ球を、前記球貯留排出経路部４の球タンク４ａ内に受入れて各樋４ｂ,４ｃに収容しており、パチンコゲーム中に発生したセーフ球に対して所定数の賞球を払出し得る。一方球貸しシステムでは、前記スイッチ１１の球有り検出条件において、使用するカードの有効金額内における一定額単位に対して設定数球の貸出し制御をなすもので、カードリーダ２３およびカード挿入口等を有するカードユニットＥが外枠Ａ外側に装備されて(図１参照)、前枠Ｂの裏側下部に設置された中継制御部(インターフェースボードともいう)２４に、カードリーダ２３と上球皿側の球貸し操作部および前記第２電子制御装置２２が夫々接続されている。そして、カードリーダ２３の球貸し判読制御処理条件に応答して後述の賞球排出装置Ｆが作動されることにより、払出された貸し球が上球皿へ供給されるようになっている。
【００１６】
前述したパチンコ機に実施された本実施例の賞球排出装置Ｆは、前記第２電子制御装置２２で制御作動されるもとで、セーフ球に対する賞球と遊技用の貸し球との区分排出並びに貯留球の抜出しの制御をなすと共に、不正球抜き獲得の防止をなし得るようにした電子制御作動形態のもので、図１および図２に略示するように、前記機構セット盤Ｃの設置部内に着脱可能にセットされている。この装置Ｆでは、基本的な構成として図４〜図９に示すように、縦長方形箱状にユニット化された合成樹脂製のケース体２６内に球通路を区画形成すると共に、この球通路に臨む部位に電動式の球払出し部３５と切換え排出部４７とを夫々組付けて、ケース体毎に取扱い得るようになっている。そして機構セット盤Ｃの設置部、つまり前記球貯留排出経路部４の送出樋４ｃ下端と、前記第１,第２の賞球路５,７および球抜き路９上端との間に形成された凹室部(所要部位)２５内にケース体２６単位で収容されて、球通路を各路４ｃ,５,７,９に整合連絡した状態でビス着セットされるようになっている。
【００１７】
このような賞球排出装置Ｆにおいて、前記ケース体２６は、凹室部２５内でビス着される１枚のベース板２６Ａにコの字形のカバー２６Ｂが組付けられており、このケース体２６内の上部に、１列の球入路２８を垂下状に形成した樋２７が組込まれて、ベース板２６Ａとカバー２６Ｂとにビス固定されている。そして、ベース板２６Ａの下部に形成された区画壁２９により、球入路２８および前記第１の賞球路５に連通される斜状の払出し路３０が形成され、この払出し路３０の中央部から前記球抜き路９に連通される斜状の戻し路３１が分岐して形成されて、ベース板２６Ａの下部に合わせてビス着された方形板サイズの仕切り板３４で両路３０,３１が覆蓋されている。なお、ベース板２６Ａの各部には組付け用のボスや台座等が配設されており、また払出し路３０と戻し路３１とは、図５に例示するように互いに逆Ｙの字状に連通されて、その分岐連絡口部の一端に後述する切換え弁５２用の逃し凹部３２が形成されている。一方樋２７の下部には、後述するセンサー用の検出孔３３,３３が、球１個分に通した間隔で形成されて球入路２８に臨んでいる。
【００１８】
そして、前述のケース体２６内に組込まれた前記球払出し部３５は、球貯留排出経路部４からの球を１個ずつ通入出検出するもので、図４〜図９に例示するように、ベース板２６Ａの支持部３６に軸支持された回転スプロケット状の球送り体３７と、球送り体３７の回転・停止規制をなす規制片４１の切換え作動源である電磁ソレノイド(電動具)３９と、第１,第２検出具４３,４４とを備えている。そして球送り体３７は、外周に形成した受け部３８(図示６個)を球入路２８内に臨ませて、１個ずつの球を受けて回転により放出し得る。また電磁ソレノイド３９は、図示のフラッパー形式例において、ベース板２６Ａに固定された金属製の支枠４０にコイルを巻回した磁力発生部(ボビンともいう)３９Ａを装着し、通電時に発生された励磁力を磁着部３９ａに集中的に作用し得、これに対して規制片４１は、支枠４０の一端に傾動可能に支持されてバネ４２で付勢され、磁着部３９ａとバネ４２を利用して球送り体３７の受け部３８を係合停止,離隔解放するようになっている。一方、第１,第２検出具４３,４４は、互いに１球分の検出間隔で配置されて球入路２８に臨み、通入球と通出球とを個々に検出するようになっている。
【００１９】
このような球払出し部３５では、電源投入時の作動状態において、電磁ソレノイド３９の消磁(ＯＦＦ)により磁着部３９ａから解放された垂下状態の規制片４１が、球送り体３７を拘束した通常状態に付勢保持されている(図４参照)。従ってこの球送り体３７が、前記球貯留排出経路部４内に投入されて送出路４ｃから球入路２８に入っている球の最先行(最下端)を、受け部３８に受入れた状態で停止されていることにおいて、第１検出具４３がこの球を直接有検出する。一方、電磁ソレノイド３９の励磁(ＯＮ)により磁着部３９ａに吸着された規制片４１が傾動変化して球送り体３７を解放すると(図５および図６参照)、同球送り体３７が受けた１球の重みで回転して同球を放出することにおいて、第２検出具４４が放出球を直接有検出し、ソレノイド３９が消磁復帰されるようになっている。なお第１,第２検出具４３,４４は、ともに光学センサータイプが使用される例において、前記第２の制御回路装置２２側に接続される制御基板４５に配置された発光ダイオードと、回路基板４６に配置された受光ダイオードとが組とされている。ちなみに制御基板４５は、樋２７の外向き側に取着されて電磁ソレノイド３９を接続し、回路基板４６は、樋２７の内向き側に取着されて制御基板４５に接続されている(図４,図７および図９参照)。なお、球払出し部３５内での球詰り(判定)に対して、払出し用の電磁ソレノイド３９の作動により振動を発生させて球詰りを解消する制御として、例えば特願平１−２４９９７３号公報に開示の技術を採用可能である。また第２検出具４４の払出し球検出不良(故障)の判定処理の制御に関しては、例えば特願平１−２４９９７５号公報に開示の技術を採用し得る。更には、賞球(貯留球)の数量(検出間隔時間)に応じて球払出し速度を高速用モードと、低速用モードとに変更する制御に関しては、例えば特願平２−６７８９号公報や特願平５−２８５８２１号公報に開示の技術を採用することができる。
【００２０】
また、ケース体２６内に組込まれた前記切換え排出部４７は、賞球および貸し球と貯留球とを切換え排出するもので、図４〜図９に例示するように、前記仕切り板３４の外向き側に設置された電磁ソレノイド(電動具)４８と、仕切り板３４の内向き側に支持されたレバー状の切換え弁５２と、該仕切板３４の外向き側に設置された保全スイッチ６５を備えて、仕切り板単位で構成されてケース体２６内に組付けられている。電磁ソレノイド４８は、図示のリニアタイプが使用される例において、仕切り板３４に一体成形された支片３４ａに縦向きに設置されて、バネ５０で付勢されたロッド４９下端に連繋片５１が固着されている。これに対して切換え弁５２は、仕切り板３４の下部中央のボス部３４ｂに挿通支持された支軸５３内端に固定されて、前記払出し路３０と戻し路３１との連絡部分内に位置している。そして、支軸５３外端に固着された円形状の回動カム(連繋手段)５４の溝５４ａにロッド４９の連繋片５１が係合されているもとで、同ロッド４９の昇降変位に追従して回動カム５４および支軸５３の回動と共に切換え弁５２が各位置に切換え保持されるようになっている。前記保全スイッチ６５は、仕切り板３４の左側下部から外向き側に延出した支持筒３４ｃの側面にビス着された回路基板６７上に固定され、出没式のスイッチボタン６６を前記回動カム５４に指向させた状態に配設されている。この保全スイッチ６５は、スイッチボタン６６の非押圧状態ではＯＦＦ状態に保持され、回動カム５４が図示反時計方向へ回動して該スイッチボタン６６を押圧している間だけＯＮ状態とされる「ａ接点」タイプのものである。なお電磁ソレノイド４８は、前記制御基板４５に接続される例とする。
【００２１】
このような切換え排出部４７では、電源投入時の作動前状態において、電磁ソレノイド４８の消磁(ＯＦＦ)により下降端位置のロッド４９に対して、切換え弁５２が戻し路３１を閉遮して払出し路３０を開放した通常の斜状払出し位置に保持されて、前記球払出し部３５から払出された球を払出し路３０側へ案内する(図５参照)。またこの状態では、前記回動カム５４がスイッチボタン６６から離間して保全スイッチ６５がＯＦＦ状態となるから、切換え弁５２が起立戻し位置に保持されていることを該保全スイッチ６５が検出しない条件(非検出条件)となる。一方、電磁ソレノイド４８の励磁(ＯＮ)により上昇端位置に変位したロッド４９に対して、切換え弁５２が追従しながら傾動変化して払出し路３０を閉遮して戻し路３１を開放した起立戻し位置に保持され、払出された球を戻し路３１側へ案内する(図６参照)。そしてこの状態では、回動カム５４の側面５４ｂがスイッチボタン６６を押圧して保全スイッチ６５がＯＮ状態となるから、切換え弁５２が起立戻し位置に保持されていることを該保全スイッチ６５が検出している条件(検出条件)となる。なお、切換え排出部４７に関連する操作手段については、図１に略示した前記機構セット盤Ｃにレバー１３およびスイッチ１４が配置使用される例において、レバー１３の操作によりスイッチ１４が検出(ＯＮ)することに応答して、前記切換え用のソレノイド４８と払出し用のソレノイド３９とが夫々設定時間に亘り励磁されるようになっている。ちなみにレバー１３は、前枠Ｂに形成された操作孔に挿入された針金状の操作具(共に図示しない)の押込みによる操作と、外枠Ａから開放した前枠Ｂの裏側で指先による操作との何れも可能にされている。
【００２２】
そして、前述のように構成された本実施例の賞球排出装置Ｆにおいて、不正球抜き獲得に係る防止対策技術については、ケース体２６内に切換え排出部４７を内蔵して切換え弁５２を球通路内に位置させた上で、切換え弁５２の揺動による保全スイッチ６５のＯＮ・ＯＦＦ状態により、前記払出し用のソレノイド３９の作動制御を行なって貯留球の払出しを制御するようになっている。すなわち、前記切換え弁５２が起立戻し位置に変位して回動カム５４がスイッチボタン６６を押圧した場合には、保全スイッチ６５がＯＮ状態となってこの信号が第２の電子制御装置２２に入力され(図１１参照)、この保全スイッチ６５の検出条件により球払出し部３５が払出し解放作動状態に制御されて、払出し用のソレノイド３９の作動下に貯留球の払出しが行なわれる。従って、球払出し部３５から払出された貯留球は、切換え弁５２が起立戻し位置に保持されていることから、戻し路３１側へ案内された後に球抜き路９へ排出される。一方、切換え弁５２が斜状払出し位置に変位して回動カム５４がスイッチボタン６６から離間した場合には、保全スイッチ６５がＯＦＦ状態となってこの信号が第２の電子制御装置２２に入力され、この保全スイッチ６５の非検出条件により球払出し部３５が払出し解放作動不能状態に制御されて、払出し用のソレノイド３９の停止下に貯留球の払出しが中止されるようになっている。従って、図１４(ａ)および図１４(ｂ)に示すように、起立戻し位置に保持されていた切換え弁５２が、線状の不正物６１により不正操作されて戻し位置から適宜揺動変位した場合には、球払出し部３５における貯留球の払出しそのものが中止されるから、該切換え弁５２を斜状払出し位置へ強制的に揺動させたとしても、貯留球が払出し路３０側へ払出されることはない。
【００２３】
ここで、本実施例のパチンコ機の各部に配設された電気部品類および前記賞球排出装置Ｆの電気部品類に係る入出力制御系統について付記すると、図１１に略示するように、前記第１の電子制御装置２１に遊技盤(図示しない)に配置されたスイッチ５７,５８等が接続されて、ゲームおよび賞球排出に係る制御処理がなされる。一方、前記第２の電子制御装置２２に、前記カードユニットＥのカードリーダ２３、インターフェースボード２４、球貸し操作用のスイッチ５９および貸し球用のスイッチ１１と、前記セーフ球検出処理装置Ｄのスイッチ１７および電磁ソレノイド１９と、前記球払出し部３５の電磁ソレノイド３９および第１,第２検出具４３,４４と、前記切換え排出部４７の電磁ソレノイド４８,保全スイッチ６５および球抜き用のスイッチ１４が夫々接続されて、貸し球と賞球との区分払出し、セーフ球検出処理、そして球抜きに係る夫々の制御処理がなされる。なお第２の電子制御装置２２では、球抜き用のスイッチ１４の１回の検出信号を有効入力して、球抜き指令により切換え用のソレノイド４８を所定時間(例えば５０秒)に亘り励磁し、切換え弁５２の回動による保全スイッチ６５の検出(ＯＮ)条件が入力されることに基づき、次いで払出し用のソレノイド３９を所定時間(例えば４５秒)に亘り励磁し、そしてリセットスイッチ６０の入力条件で次の球抜き用検出信号を有効入力可能に設定されている。なお、前記不正物６１による切換え弁５２の不正操作に対する制御処理として、前記保全スイッチ６５の１回のＯＮ→ＯＦＦ作動により球抜き不能としたり、保全スイッチ６５のＮ回(例えば３,４回)のＯＮ→ＯＦＦ作動後に球抜き不能とする制御を選択可能である。
【００２４】
【実施例の作用】
前述のように構成された本実施例のパチンコ機では、遊技ホール内の設置枠台にカードユニットＥと共に設置されて遊技に供し得る。そして、カードユニットＥに対するカードの挿入並びに機前側での球貸し操作により、機構セット盤Ｃの賞球排出装置Ｆから払出された貸し球を上球皿側へ給出して収容し得る。このもとで遊技操作(打球発射操作)を行なうことにより、機内の発射位置に１球ずつ送込まれた遊技球を遊技盤内に打出して所要のゲームを展開し得る。そうして、ゲーム中に発生したアウト球を機構セット盤Ｃの排出路２から機外へ排出し、またセーフ球を処理路３からセーフ球検出処理装置Ｄに導入して１球ずつ停留検出処理した後に機外へ排出する一方、このセーフ球の検出処理に対して賞球排出装置Ｆから設定数の賞球を払出して上球皿または下球皿へ給出するようになっている。そして、球抜き必要時の操作により球貯留排出経路部４内の貯留球を、賞球排出装置Ｆの解放状態で抜出して球抜き路９から機外へ排出することができる。
【００２５】
そこで、このようなパチンコ機に実施された本実施例の賞球排出装置Ｆにおける球排出作動状態について、各図を参照しながら説明する。先ず貸し球の払出しについては、貸し球用のスイッチ１１の球有り検出入力条件にあって、カードが挿入されて球貸し用のスイッチ５９が操作されたことに基づいて球払出し部３５が作動される。すなわち、同スイッチ５９の操作入力に対するカードリーダ２３，インターフェースボード２４および第２の電子制御装置２２間での制御処理および球貸し指令に基づいて、球払出し部３５が作動されて電磁ソレノイド３９の制御作動(励磁と消磁)および規制片４１の切換え、第１,第２検出具４３,４４の球有り検出入力並びに球送り体３７のピッチ回動により、所定数の球(例えば球貸し金額１００円に対して貸し球２５個)が１球ずつ払出されて、ケース体２６の払出し路３０から第１賞球路５へ排出され、供給口６から上球皿へ給出される。この貸し球の具体的な排出状態を図５で観ると、全ての貸し球は、球送り体３７の受け部３８から解放された以降、第２検出具４４でカウント検出されて払出し路３０に通入し、払出し位置に保持されている切換え弁５２に沿って通出され、そして第１賞球路５へ排出される。
【００２６】
またセーフ球に対する賞球の払出しについては、図２および図３に示す前記セーフ球検出処理装置Ｄでのセーフ球検出毎に球払出し部３５が作動される。すなわち、前記処理路３から通路１６に通入して規制処理部材１８のストッパー１８ｂにより検出位置で停留されたセーフ球をスイッチ１７が検出した条件にあって、同検出入力に対する第２,第１の電子制御装置２１,２２間でのセーフ球信号と賞球信号との処理および払出し指令に基づいて、球払出し部３５が前述と同様な態様で作動されて(図５参照)、電磁ソレノイド３９の制御作動および規制片４１の切換えに従う球送り体３７のピッチ回動により、所定数の球(例えば５〜１５個の賞球)が１球ずつ払出されて、払出し路３０から切換え弁５２を介して第１賞球路５に通出され、供給口６から上球皿または第２賞球路７から下球皿へ給出される。そして、払出された所定数最後の賞球が第２検出具４４でカウント検出された時点に基づいて、当該回の払出し作動が終了されて電磁ソレノイド３９の消磁、規制片４１の復帰に従い球送り体３７が停止保持される。なお払出し終了後、セーフ球検出処理装置Ｄでは、第２の電子制御装置２２からのセーフ球解放指令に基づいて、電磁ソレノイド１９が１回作動(励磁と消磁)されることにより、規制処理部材１８の切換えに従い検出位置のセーフ球が解放されて機外へ排出され、次のセーフ球が検出位置に入って停止される(図３参照)。
【００２７】
一方貯留球の球抜きについては、球抜き操作に基づいて切換え排出部４７と球払出し部３５が順次作動される。すなわち、前記球抜き用のスイッチ１４が操作されたことにより、この検出入力に対する第２の電子制御装置２２での制御処理および球抜き指令に基づいて切換え排出部４７が切換え作動されて、電磁ソレノイド４８の励磁によるロッド４９の上昇と共に切換え弁５２が戻し位置に切換え保持される(図６参照)。そして、前記回動カム５４が保全スイッチ６５のスイッチボタン６６を押圧することにより、該保全スイッチ６５がＯＮ状態とされて切換え弁５２を検出している条件のもとに、例えば１.５秒後に球払出し部３５が開放作動されて、電磁ソレノイド３９の励磁により規制片４１が磁着変位されて球送り体３７を解放する。この結果、同球送り体３７がケース体２６の球入路２８内の球を受けながら連続フリー回転するもとで、球貯留排出経路部４内の貯留球が、図６に例示するように、１球ずつ払出し路３０に放出されて切換え弁５２で変向案内されながら戻し路３１に通出して球抜き路９から機外へ抜出される。そうして、設定時間経過後の球抜き指令終了時に、球払出し部３５が元状復帰されてソレノイド３９の消磁により、規制片４１が変位復帰して球送り体３７を停止保持する。これに次いで(例えば３.５秒後)切換え排出部４７が元状復帰されてソレノイド４８の消磁によりロッド４９の下降と共に切換え弁５２が元の払出し位置(図１２の位置)に保持される。このとき、回動カム５４がスイッチボタン６６から離間し、保全スイッチ６５はＯＦＦ状態となって切換え弁５２の非検出状態となる。
【００２８】
なお前述の球抜き作動では、球貯留排出経路部４内で多少の球流れ遅れが発生したとしても、双方のソレノイド３９,４８の励磁時間設定により全球を的確に抜出すことができる。そして球抜き後においては、補給設備の運転により新たな相当量の球が球タンク４ａ内に投入されることにより、球払出し部３５の球入路２８内の所定位置(球送り体３７の受止め位置)から球貯留排出経路部４内の全体に亘り通入(収容)されて、前述した貸し球,賞球の払出しが可能とされる。ちなみに、本実施例の賞球排出装置Ｆに係る第２の電子制御装置２２での別設定例として、球貸し操作信号は賞球払出し指令の終了後に入力可能とされ、また球抜き操作信号の入力以後は入力不可(無効)とされる。賞球払出し信号は、球貸し指令の終了以後に入力可能とされ、また球抜き操作信号の入力以後は入力不可(無効)とされる。また球抜き操作信号は、貸し球,賞球の払出し指令の終了以後に１回だけ有効入力可能とされる。
【００２９】
ところで本実施例の賞球排出装置Ｆでは、前述した球排出作動を行ない得ることの他に、装置特有の機能として球抜き操作により機外へ排出されるべき貯留球の不正獲得(上球皿側への抜出し)を防止し得るもので、この防止対策については、前枠Ｂの操作孔(共に図示しない)から挿入した操作杆により前記球抜き用のスイッチ１４を検出操作して切換え排出部４７を球抜き状態に保持し得ることにおいて、機前側での不正操作により不正物を供給口６から裏側へ侵入させて巧みに操っても、貯留球が払出し路３０側へ排出されることを好適に阻止するようにしている。すなわち、賞球排出装置Ｆの球排出作動前においては、図１２(ａ)に示すように、切換え弁５２が斜状払出し位置に変位して回動カム５４がスイッチボタン６６から離間しており、保全スイッチ６５がＯＦＦ状態となって切換え弁５２を検出しない条件が第２の電子制御装置２２に入力される。従って、保全スイッチ６５の非検出条件により球払出し部３５が払出し解放作動不能状態に制御され、払出し用のソレノイド３９が停止制御されている。
【００３０】
前枠Ｂの操作孔から挿入した操作杆により前記球抜き用のスイッチ１４を操作すると、切換え排出部４７における切換え用の電磁ソレノイド４８が励磁して、ロッド４９の上昇変位に追従して回動カム５４が回動すると共に切換え弁５２が起立戻し位置へ切換え保持される。そして、回動カム５４が保全スイッチ６５のスイッチボタン６６を押圧することにより、該保全スイッチ６５がＯＮ状態とされて切換え弁５２を検出している条件のもとに前記球払出し部３５が払出し解放作動状態となり、前記切換え用のソレノイド４８の作動開始から適宜後に払出し用のソレノイド３９が励磁されて貯留球の払出しが開始される(図１２(ｂ)参照)。このとき前記切換え弁５２は、払出し路３０を閉遮して戻し路３１を開放した起立戻し位置に保持されているから、前記球払出し部３５から排出された貯留球は、戻し路３１側へ案内された後に球抜き路９へ抜出される(図１２(ｂ)および図１３参照)。
【００３１】
そして、前述した図１２(ｂ)に示す貯留球の抜出し状態において、線状の不正物６１を供給口６から第１賞球路５内に侵入させて払出し路３０側に挿入させると、不正物６１が鈴６２の外周に沿って切換え弁５２に当接し、該切換え弁５２が図示時計方向へ揺動されるようになる。これにより、起立戻し位置に保持された切換え弁５２が、図１４(ａ)に示すように、電磁ソレノイド４８の励磁力に抗して少しだけ揺動変位し、この切換え弁５２の揺動と共に回動カム５４も回動するから、スイッチボタン６６に対する押圧が解除される。すなわち、保全スイッチ６５がＯＦＦ状態とされるから、切換え弁５２を検出しない条件のもとに前記球払出し部３５が払出し解放作動不能状態となり、前記払出し用のソレノイド３９が消磁されて貯留球の払出しが中止される。従って図１４(ｂ)に示すように、不正物６１により切換え弁５２を斜状払出し位置まで強制的に揺動変位させたとしても、払出し用のソレノイド３９が消磁されて規制片４１により球送り体３７が回転不能状態となり、以後の貯留球の払出しが規制されて払出し路３０の上流部にあった１,２個の球しか抜取ることができない。
【００３２】
なお、前記不正物６１による切換え弁５２の不正操作に対する払出し用のソレノイド３９の作動設定条件として、１回の不正球抜き操作(保全スイッチ６５のＯＮ→ＯＦＦ)のみで該ソレノイド３９を作動停止するように設定してある場合には、該不正物６１による不正操作を解除すれば、切換え弁５２は切換え用のソレノイド４８の作動下に起立戻し位置へ揺動復帰し、これに伴って回動カム５４が保全スイッチ６５をＯＮ状態とする。しかるに、保全スイッチ６５がＯＮ状態となったとしても払出し用のソレノイド３９は作動せず、球抜き路９側への抜出しが不能となると共に、いくら切換え弁５２を不正操作しても貯留球を第１賞球路５側へ抜出すことはできなくなる。
【００３３】
また、払出し用のソレノイド３９の作動設定条件として、Ｎ回(例えば３回)の不正球抜き操作(保全スイッチ６５のＯＮ→ＯＦＦ)後に該ソレノイド３９を作動停止するように設定してある場合には、該不正物６１による１回目の不正操作を解除すれば、切換え弁５２は切換え用のソレノイド４８の作動下に起立戻し位置へ揺動復帰し、これに伴って回動カム５４が保全スイッチ６５をＯＮ状態とする。すなわち、保全スイッチ６５が切換え弁５２を検出している条件となるから、前記切換え用のソレノイド４８が作動を再開して、貯留球の戻し路３１および球抜き路９側への球抜りが開始される(図１２(ｂ)参照)。そして、供給口６から第１賞球路５内に侵入させた不正物６１を再度切換え弁５２に当接させて揺動させれば、保全スイッチ６５がＯＦＦ状態とされて切換え弁５２を検出しない条件となり、前記払出し用のソレノイド３９が消磁されて貯留球の払出しが中止される。従って、２回目の不正球抜き操作においても、払出し路３０の上流部にあった１,２個の球しか抜取ることができない。同じく、３回目の不正操作においても、１,２個の球しか抜取ることができないから、結局３回の不正操作により抜取り得る貯留球は数個にしかならない。なお、払出し用のソレノイド３９に対して設定した回数の不正操作が行なわれた際には、前記リセットスイッチ６０の入力条件を前提として、次の球抜き用検出信号が有効入力可能に設定される。
【００３４】
なお、実施例では保全スイッチ６５として「ａ接点」を用いた場合につき説明したが、スイッチボタン６６の非押圧状態ではＯＮ状態に保持され、回動カム５４の回動により該スイッチボタン６６を押圧している間だけＯＦＦ状態とされる「ｂ接点」を用いることができる。そしてこの場合は、スイッチ６５のＯＦＦ状態で切換え弁５２の起立戻し位置を検出するよう設定される。
【００３５】
【発明の効果】
以上に説明した如く、本発明に係るパチンコ遊技機における賞球排出装置によれば、機裏側の機構セット盤にセットされる１つのケース体内に、球の払出し作動をなす球払出し部と、球の通出切換え作動をなす切換え排出部とを組込んだことにより、装置全体を１つのケース体単位のユニット部材として取扱い得ると共に、該装置の小型化および簡素化を図ることができる利点がある。しかも、機構セット盤に対する組付けに際しては、該機構セット盤の所要部位にケース体を位置決めセットしてビス等により組付けるだけで、球払出し部と切換え排出部とを球処理部における適切な位置に簡単かつ容易に配設することができ、当該部材の組付けの簡略化を図り得ると共にパチンコ遊技機の組立て作業の合理化を図り得る等の有益な効果を奏する。
【００３６】
また、本発明に係るパチンコ遊技機における賞球排出装置によれば、切換え排出部に配設した保全スイッチで戻し位置に保持された切換え弁を検出し得るよう構成し、このスイッチの検出入力を前提として球払出し部を作動するよう構成した。すなわち、切換え弁が本来の戻し位置に保持されることによる保全スイッチの検出条件下では、球払出し部を作動させて貯留球を戻し球として機外に排出し得るが、不正操作により切換え弁が払出し位置側へ変位されることによる保全スイッチの非検出条件下では、球払出し部を停止させて貯留球を払出し得ないようにすることが可能となる。従って、例えば不正物を上球皿に連絡する供給口から賞球経路内に侵入させて、巧みに操りながら切換え弁を払出し位置へ保持させ得たとしても、該切換え弁が戻し位置にないから保全スイッチが非検出条件となり、球払出し部の停止により貯留球の不正抜出し獲得を好適に阻止する極めて有益な効果を奏する。
【図面の簡単な説明】
【図１】カードユニットを併設したパチンコ機の背面図である。
【図２】パチンコ機裏側の機構セット盤に配設した球処理部の背面図である。
【図３】セーフ球検出処理装置を作動変化状態で示す正面図である。
【図４】本実施例の賞球排出装置を開蓋状態で示す正面図である。
【図５】本実施例の賞球排出装置を開蓋して貯留球の払出し状態で示す縦断正面図である。
【図６】本実施例の賞球排出装置を開蓋して貯留球の抜出し状態で示す縦断正面図である。
【図７】図４のＸ−Ｘ線における横断平面図である。
【図８】図４のＹ−Ｙ線における横断平面図である。
【図９】本実施例の賞球排出装置を分解状態で示す平面図である。
【図１０】切換え弁と保全スイッチとを示す分解斜視図である。
【図１１】切換え弁と保全スイッチとによる制御系統のブロック図である。
【図１２】貸し球,賞球の払出し可能状態および貯留球の抜出し動作状態を示す説明図である。
【図１３】貯留球の抜出し状態で示す球処理部の背面図である。
【図１４】不正球抜き獲得防止例の説明図である。
【符号の説明】
４  球貯留排出経路部
５  第１賞球路(賞球経路)
７  第２賞球路(賞球経路)
９  球抜き路
２２  第２の電子制御装置
２５  凹室部(所要部位)
２６  ケース体
２８  球入路
３０  払出し路
３１  戻し路
３４  仕切り板
３５  球払出し部
３７  球送り体
３９  電磁ソレノイド(電動具)
４７  切換え排出部
４８  電磁ソレノイド(電動具)
５２  切換え弁
５４  回動カム(連繋手段)
６５  保全スイッチ
Ｃ  機構セット盤
【図１】
0003673905.tif 000002
【図２】
0003673905.tif 000003
【図３】
0003673905.tif 000004
【図１１】
0003673905.tif 000005
【図４】
0003673905.tif 000006
【図５】
0003673905.tif 000007
【図６】
0003673905.tif 000008
【図７】
0003673905.tif 000009
【図８】
0003673905.tif 000010
【図９】
0003673905.tif 000011
【図１０】
0003673905.tif 000012
【図１２】
0003673905.tif 000013
【図１３】
0003673905.tif 000014
【図１４】
0003673905.tif 000015